(57)【要約】【課題】骨折部位を簡単な術式で固定できる、骨接合具を提供する。【解決手段】一対の軸部２、３と、ハンドル部４とを備え、一対の軸部２、３の各々は、その先端部に鈎部５、５を有しており、ハンドル部４を一方向に回転させると、鈎部５と鈎部５との間隔を広くすることができ、また、ハンドル部４を一方向とは逆の他方向に回転させると、鈎部５と鈎部５との間隔を狭くすることができるようになっている。【選択図】図１
2006075293.tif 000002
【特許請求の範囲】
【請求項１】
一対の軸部と、
前記一対の軸部を接続するハンドル部とを備え、
前記一対の軸部の各々は、
その先端部に鈎部を有しており、
前記鈎部が設けられている先端部と反対側の後端部には、ねじが設けられており、
前記ハンドル部は、中空部を有し、前記中空部を形成する内表面の、前記ハンドル部の一端から所定の領域には、前記一対の軸部の一方の軸部の後端部に設けられているねじに螺合するねじが設けられており、前記ハンドル部の他端から所定の領域に、前記一対の軸部の他方の軸部の後端部に設けられているねじに螺合するねじが設けられており、
前記ハンドル部の一端から所定の領域に設けられているねじに、前記一対の軸部の一方の軸部の後端部に設けられているねじが螺合するようにされており、且つ、
前記ハンドル部の他端から所定の領域に設けられているねじに、前記一対の軸部の他方の軸部の後端部に設けられているねじが螺合するようにされている、骨接合具。
【請求項２】
前記一対の軸部の各々の先端部に設けられている鈎部の角度が、前記一対の軸部の各々に対し、９０度未満にされている、請求項１に記載の骨接合具。
【請求項３】
前記一対の軸部の各々の先端部に設けられている鈎部が、１以上存在している、請求項１又は請求項２のいずれかに記載の骨接合具。
【請求項４】
前記一対の軸部の少なくとも一方の軸部の途中位置に、貫通孔が設けられている、請求項１〜３のいずれかに記載の骨接合具。
【発明の詳細な説明】
【技術分野】
【０００１】
本発明は、骨接合具に関し、特に、骨折部位を簡単な術式で固定できる、骨接合具に関する。
【背景技術】
【０００２】
骨折した際には、添え木（副木）その他の外部固定具を用い、骨折部位を固定したり、又は、図１２に示すように、髄内釘ｎ、ボルトｖ及びピンｐ等を用いて、骨を固定する手術を行うようなことが行われている。
【特許文献１】特開平１０−４３２０４号公報
【特許文献２】特表２００３−５１５３８２号公報
【発明の開示】
【発明が解決しようとする課題】
【０００３】
しかしながら、例えば、犬や猫その他の動物が、骨折した場合に、そのような動物の骨折部位を添え木（副木）その他外部固定具で固定した場合、犬や猫その他の動物は、体の表面に添え木（副木）その他の外部固定具がある場合、口や脚を用いて、添え木（副木）その他の外部固定具を取り外そうとしたり、又は、これらが取れない場合には、添え木（副木）や、外部固定具が体の表面についていることが、ストレスになって、もがき苦しんだり、元気がなくなる、という問題がある。
【０００４】
また、犬や猫その他の動物が、骨折した場合に、添え木（副木）や、外部固定具を用いる代わりに、髄内釘ｎ、ボルトｖ及びピンｐ等を用いて、骨を固定する手術を行うことは、複雑な手術が必要になる、という問題や、例えば、動物が、モルモット、ハムスター、二十日ねずみといったような齧歯類や、カナリア、インコ、おうむといったような鳥類や、子猫、子犬のような小動物の骨折治療を、髄内釘ｎ、ボルトｖ及びピンｐ等を用いて、行うのは、骨が小さいため、極めて、困難である、という問題がある。
【０００５】
本発明は、以上のような問題点を解決するためになされたものであって、骨折部位を簡単に固定でき、しかも、例えば、小動物が骨折したような場合であっても、骨折部位を簡単に固定することができる、骨接合具を提供することを目的としている。
【課題を解決するための手段】
【０００６】
請求項１に記載の骨接合具は、一対の軸部と、一対の軸部を接続するハンドル部とを備え、一対の軸部の各々は、その先端部に鈎部を有しており、鈎部が設けられている先端部と反対側の後端部には、ねじが設けられており、ハンドル部は、中空部を有し、中空部を形成する内表面の、ハンドル部の一端から所定の領域には、一対の軸部の一方の軸部の後端部に設けられているねじに螺合するねじが設けられており、ハンドル部の他端から所定の領域に、一対の軸部の他方の軸部の後端部に設けられているねじに螺合するねじが設けられており、ハンドル部の一端から所定の領域に設けられているねじに、一対の軸部の一方の軸部の後端部に設けられているねじが螺合するようにされており、且つ、ハンドル部の他端から所定の領域に設けられているねじに、一対の軸部の他方の軸部の後端部に設けられているねじが螺合するようにされている。
【０００７】
請求項２に記載の骨接合具は、請求項１に記載の骨接合具の、一対の軸部の各々の先端部に設けられている鈎部の角度が、一対の軸部の各々に対し、９０度未満にされている。
【０００８】
請求項３に記載の骨接合具は、請求項１又は請求項２のいずれかに記載の骨接合具の、一対の軸部の各々の先端部に設けられている鈎部が、２以上存在している。
【０００９】
請求項４に記載の骨接合具は、請求項１〜３のいずれかに記載の骨接合具の、一対の軸部の少なくとも一方の軸部の途中位置に、貫通孔が設けられている。
【発明の効果】
【００１０】
請求項１に記載の骨接合具では、ハンドル部を回転操作することで、鉤部と鉤部との間の長さを調整することができる。従って、この骨接合具は、骨折部位を挟む骨の各々に、孔を形成した後、これらの孔の各々に、ハンドル部を回転操作して、鉤部の各々を挿入した後、ハンドル部を回転操作して、鉤部と鉤部との間の長さを短くすることで、骨折部位の隙間をなくすことで、髄内釘、ボルト及びピン等を用いることなく、骨折部位の接合を、簡単に、行える。
【００１１】
また、この骨接合具では、髄内釘、ボルト及びピン等を用いることなく、骨折部位の接合を行えるので、この骨接合具は、骨が小さい小動物の骨折の治療にも用いることができる。
【００１２】
更にまた、この骨接合具は、体内に埋め込むものであるが、骨の外部に取り付けるようになっているので、髄内釘、ボルト及びピン等を用いて、骨を固定する手術（ピンニング等）を行うことが困難な部分の骨折の治療に用いることができる。
【００１３】
請求項２に記載の骨接合具では、鈎部の角度が、一対の軸部の各々に対し、９０度未満にしているので、骨折部位を挟む、骨と、骨とに、各々、２つの孔を、骨の表面に対し、９０度又は概ね９０度に形成すれば、これらの孔の各々に、ハンドル部を回転操作して、鉤部の各々を挿入した後、ハンドル部を回転操作して、鉤部と鉤部との間隔を短くすることで、鉤部の各々が、孔の各々から抜け難くなる。
【００１４】
請求項３に記載の骨接合具では、一対の軸部の各々に、複数個の鉤部を設けているので、骨折部位を挟む、骨と、骨とに、各々、複数個の孔を形成し、複数個の孔の各々に、ハンドル部を回転操作して、一対の軸部の各々に設けられた複数個の鉤部の各々を挿入することで、骨折部位へ骨接合具を取り付けた後において、骨接合具の骨折部位からの脱落するのを更に防止することができる。
【００１５】
請求項４に記載の骨接合具では、一対の軸部の少なくとも一方の軸部の途中位置に、貫通孔を設けているので、この貫通孔を利用して、ワイヤ（針金）を用い、骨接合具と骨とを巻きつけ固定すれば、骨接合具と骨との固定後、骨接合具とワイヤ（針金）とが位置ずれするのを防止できる。
【発明を実施するための最良の形態】
【００１６】
以下、本発明に係る骨接合具の一例について、図面を参照しながら説明する。
（発明の実施の形態１）
図１（ａ）は、本発明に係る骨接合具の一例を模式的に示す斜視図であり、図１（ｂ）は、図１（ａ）中、Ａで囲んだ部分を拡大し、その構造を概略的に説明する説明図である。
【００１７】
この骨接合具１は、一対の軸部２、３と、一対の軸部２、３を接続するハンドル部４とを備える。
【００１８】
この骨接合具１は、以下の場合には特に限定されることはないが、一対の軸部２、３、及び、ハンドル部４は、ステンレス−モリブデン合金（ＳＭＯ）で製されている。
【００１９】
一対の軸部２、３の各々は、その先端部に鈎部５を有している。
【００２０】
また、一対の軸部２、３の各々は、鈎部５が設けられている先端部と反対側の後端部には、ねじ６、７が設けられている。
【００２１】
また、ハンドル部４は、中空部４ｈを有している。
【００２２】
ハンドル部４の中空部４ｈを形成する内表面Ｓ４の、ハンドル部４の一端４ｅ１から所定の領域Ｒａには、一対の軸部２、３の一方の軸部２の後端部に設けられているねじ６に螺合するねじ８が設けられている。
【００２３】
また、ハンドル部４の他端４ｅ２から所定の領域Ｒｂに、一対の軸部２、３の他方の軸部３の後端部に設けられているねじ７に螺合するねじ９が設けられている。
【００２４】
この骨接合具１では、一対の軸部２、３の一方の軸部２の後端部にねじ６を設け、一対の軸部２、３の他方の軸部３の後端部にねじ７を設け、ハンドル部４に、その中空部４ｈを形成する内表面Ｓ４の、ハンドル部４の一端４ｅ１から所定の領域Ｒａに、ねじ６に螺合するねじ８を設け、且つ、ハンドル部４の他端４ｅ２から所定の領域Ｒｂに、ねじ７に螺合するねじ９を設けているので、ハンドル部４を一方向に回転させると、鉤部５と鉤部５との間隔を広くすることができ、ハンドル部４を一方向と逆方向の他方向に回転させると、鉤部５と鉤部５との間隔を狭くすることができる。
【００２５】
また、この骨接合具１では、一対の軸部２、３の各々の先端部に設けられている鈎部５、５の各々の角度を、一対の軸部２、３の各々に対し、９０度未満にしている（図１中、角度θ＜９０°）。
【００２６】
次に、この骨接合具１の使用方法の一例を説明する。
【００２７】
図２は、この骨接合具１の使用方法の一例を模式的に説明する説明図（手術の手順を説明する説明図）である。
【００２８】
この骨接合具１を用いて骨折部位を治療する際には、図２（ａ）に示すように、消毒や麻酔等を施した後、骨折した箇所を切開し、骨折部位を外部に露出させる。
【００２９】
次に、図２（ｂ）に示すように、外部に露出させた骨折部位の、骨折部位を挟む、骨Ｂａと、骨Ｂｂとに、孔ｈａ、ｈｂの各々を、骨Ｂａ、Ｂｂの各々の表面に対し、９０度又は概ね９０度に形成する。
【００３０】
次に、骨接合具１のハンドル部４を一方向又は他方向に回転操作し、鈎部５と、鉤部５との間の間隔を、孔ｈａと孔ｈｂとの間隔に合わせるように調整した後、鈎部５、５の各々を孔ｈａ、ｈｂの各々に挿入（嵌入）する。
【００３１】
その後、骨接合具１のハンドル部４を、鈎部５と、鉤部５との間の間隔が狭まる方向（この例では、他方向）に回転操作し、骨折部位を締め付け、骨を骨折前の状態と同じ状態になるように当接させ、固定する（以上については、図２（ｃ）及び図２（ｄ）を参照）。
【００３２】
その後、骨折部位を縫合し、骨折部位が骨細胞により修復・接合された後、再度、骨折部位を消毒や麻酔等を施した後、切開し、骨折部位を外部に露出させ、骨接合具１を取り出し、再び、縫合する、という手術を、必要により、施したり、又は、骨折部位が骨細胞により修復・接合された後も、骨接合具１を体内に留置したりする。
【００３３】
図３は、一対の軸部２、３の各々の先端部に設けられている鈎部５、５の各々の角度を、一対の軸部２、３の各々に対し、９０度未満にした場合に奏される効果を模式的に説明する説明図である。
【００３４】
この骨接合具１では、一対の軸部２、３の各々の先端部に設けられている鈎部５、５の各々の角度を、一対の軸部２、３の各々に対し、９０度未満にしているので、図３（ａ）に示すように、骨折部位を挟む、骨Ｂａと、骨Ｂｂとに、各々、２つの孔ｈａ、ｈｂの各々を、骨Ｂａ、Ｂｂの各々の表面に対し、９０度又は概ね９０度に形成し、孔ｈａ、ｈｂの各々に、ハンドル部４を一方向又は他方向に回転操作して、鉤部５、５の各々を挿入した後（図３（ｂ）を参照。）、ハンドル部４を一方向に回転操作して、鉤部５、５と鉤部との間隔を短くすることで、鉤部５、５の各々が、孔ｈａ、ｈｂの各々から抜け難くなる（図３（ｃ）を参照。）。
【００３５】
この骨接合具１では、ハンドル部４を回転操作することで、鉤部５と鉤部５との間の長さを調整することができる。従って、この骨接合具１は、骨折部位を挟む骨Ｂａ、Ｂｂに、少なくとも、孔ｈａ、ｈｂを形成した後、これらの孔ｈａ、ｈｂの各々に、ハンドル部４を回転操作して、鉤部５、５の各々を挿入した後、ハンドル部４を回転操作して、鉤部５と鉤部５との間の長さを短くすることで、骨折部位の隙間をなくすことで、髄内釘ｎ、ボルトｖ及びピンｐ等を用いることなく、骨折部位の接合を、簡単に、行える。
【００３６】
また、この骨接合具１では、髄内釘ｎ、ボルトｖ及びピンｐ等を用いることなく、骨折部位の接合を行えるので、この骨接合具１は、骨が小さい小動物の骨折の治療にも用いることができる。
【００３７】
また、この骨接合具１は、添え木（副木）その他外部固定具で固定するのではなく、体内埋め込み式であるので、骨折した動物の骨折部位を、添え木（副木）その他の外部固定具で固定した場合に問題となる、動物が、口や脚を用いて、添え木（副木）その他の外部固定具を取り外そうとしたり、又は、これらが取れない場合には、添え木（副木）や、外部固定具が体の表面についていることが、ストレスになって、もがき苦しんだり、元気がなくなる、という問題が、生じない。
【００３８】
また、この骨接合具１を用いれば、骨折部位に隙間があるような場合であっても、ピンｐ等を骨髄に挿入したりすることなく骨折部位の接合を行えるので、骨髄に損傷を与えることなく、骨折部位の接合（治療）が行える。
【００３９】
更にまた、この骨接合具１は、体内に埋め込むものであるが、骨の外部に取り付けるようになっているので、図１２に示したような、髄内釘ｎ、ボルトｖ及びピンｐ等を用いて、骨を固定する手術（ピンニング等）を行うことが困難な部分の骨折の治療に用いることができる。
【００４０】
尚、上記した発明の実施の形態１では、一対の軸部２、３の各々の先端部に設けられている鈎部５、５の各々が、先尖形状を有する骨接合具１について説明したが、鈎部５、５の各々は、先尖形状を有している必要はなく、例えば、図４に示す骨接合具１Ａのように、一対の軸部２、３の各々の先端部分が折り曲げられることで、先端部まで同じ直径又は概ね同じ直径を有する鈎部５ａ、５ａを備える、骨接合具１Ａも、本発明の係る骨接合具に含まれる。
【００４１】
尚、図４に示す骨接合具１Ａは、鈎部５ａ、５ａの形状が、骨接合具１の鈎部５、５の形状と異なる以外は、骨接合具１と同様であるので、骨接合具１Ａの構成部材中、骨接合具１の構成部材に相当する構成部材については、骨接合具１を構成する構成部材に付した参照符号を付して、その説明を省略する。
（発明の実施の形態２）
図５は、本発明に係る骨接合具の他の一例を模式的に示す斜視図である。
【００４２】
この骨接合具１Ｂは、図１に示す骨接合具１とは、下記の構成が異なっている以外は、図１に示す骨接合具１と同様の構成であるので、骨接合具１Ｂの構成部材中、図１に示す骨接合具１の構成部材に相当する構成部材については、骨接合具１の構成部材に付した参照符号に相当する参照符号を付して、その説明を省略する。
【００４３】
この骨接合具１Ｂは、一対の軸部２、３の各々の先端部に、複数の鉤部５ｂ・・・を設けている構成が、図１に示す骨接合具１とは、異なっている。
【００４４】
次に、この骨接合具１Ｂの使用方法の一例を説明する。
【００４５】
図６は、この骨接合具１Ｂの使用方法の一例を模式的に説明する説明図（手術の手順を説明する説明図）である。
【００４６】
この骨接合具１Ｂを用いて骨折部位を治療する際には、図６（ａ）に示すように、消毒や麻酔等を施した後、骨折した箇所を切開し、骨折部位を外部に露出させる。
【００４７】
次に、図６（ｂ）に示すように、外部に露出させた骨折部位の、骨折部位を挟む、骨Ｂａと、骨Ｂｂとに、各々、鉤部５ｂ・・・の数と同数の複数個の孔ｈａ・・・、ｈｂ・・・（この例では、骨接合具１Ｂの一対の軸部２、３の各々の先端部に、２個の鉤部（５ｂ，５ｂ）、（５ｂ，５ｂ）を設けているので、この鉤部（５ｂ，５ｂ）、（５ｂ，５ｂ）の数に合わせて、骨Ｂａ及び骨Ｂｂの各々に２個の孔を設けている。）の各々を、骨Ｂａ、Ｂｂの各々の表面に対し、９０度又は概ね９０度に形成する。
【００４８】
次に、骨接合具１Ｂのハンドル部４を一方向又は他方向に回転操作し、一対の軸部２、３の一方の軸部２に設けられている鈎部５ｂ・・・と、一対の軸部２、３の他方の軸部３に設けられている鉤部５ｂ・・・との間の間隔を、複数個の孔ｈａ・・・、ｈｂ・・・の間隔に合わせるように調整した後、鈎部５ｂ・・・、５ｂ・・・の各々を複数個の孔ｈａ・・・、ｈｂ・・・の各々に挿入（嵌入）する。
【００４９】
その後、骨接合具１Ｂのハンドル部４を、一対の軸部２、３の一方の軸部２に設けられている鈎部５ｂ・・・と、一対の軸部２、３の他方の軸部３に設けられている鉤部５ｂ・・・との間の間隔が狭まる方向（この例では、他方向）に回転操作し、骨折部位を締め付け、骨を骨折前の状態と同じ状態になるように当接させ、固定する（以上については、図６（ｃ）及び図６（ｄ）を参照）。
【００５０】
その後、骨折部位を縫合し、骨折部位が骨細胞により修復・接合された後、再度、骨折部位を消毒や麻酔等を施した後、切開し、骨折部位を外部に露出させ、骨接合具１Ｂを取り出し、再び、縫合する、という手術を、必要により、施したり、又は、骨折部位が骨細胞により修復・接合された後も、骨接合具１Ｂを体内に留置したりする。
【００５１】
この骨接合具１Ｂでは、ハンドル部４を回転操作することで、鉤部５ｂ・・・と鉤部５ｂ・・・との間の長さを調整することができる。従って、この骨接合具１Ｂは、骨折部位を挟む骨Ｂａ、Ｂｂに、複数個の孔ｈａ、ｈｂを形成した後、これらの孔ｈａ・・・、ｈｂ・・・の各々に、ハンドル部４を回転操作して、鉤部５ｂ・・・、５ｂ・・・の各々を挿入した後、ハンドル部４を回転操作して、鉤部５ｂ・・・と鉤部５ｂ・・・との間の長さを短くすることで、骨折部位の隙間をなくすことで、髄内釘ｎ、ボルトｖ及びピンｐ等を用いることなく、骨折部位の接合を、簡単に、行える。
【００５２】
また、この骨接合具１Ｂでは、髄内釘ｎ、ボルトｖ及びピンｐ等を用いることなく、骨折部位の接合を行えるので、この骨接合具１Ｂは、骨が小さい小動物の骨折の治療にも用いることができる。
【００５３】
また、この骨接合具１Ｂは、添え木（副木）その他外部固定具で固定するのではなく、体内埋め込み式であるので、骨接合具１と同様、骨折の治療後、動物が、口や脚を用いて、添え木（副木）その他の外部固定具を取り外そうとしたり、又は、これらが取れない場合には、添え木（副木）や、外部固定具が体の表面についていることが、ストレスになって、もがき苦しんだり、元気がなくなる、という問題が、生じない。
【００５４】
更にまた、この骨接合具１Ｂは、体内に埋め込むものであるが、骨の外部に取り付けるようになっているので、髄内釘ｎ、ボルトｖ及びピンｐ等を用いて、骨を固定する手術（ピンニング等）を行うことが困難な部分の骨折の治療に用いることができる。
【００５５】
のみならず、この骨接合具１Ｂは、一対の軸部２、３の各々の先端部に、複数個の鈎部５ｂ・・・、５ｂ・・・を備えているので、骨折部位を挟む、骨Ｂａと、骨Ｂｂとに、各々、複数個の孔ｈａ・・・、ｈｂ・・・を形成し、複数個の孔ｈａ・・・、ｈｂ・・・の各々に、ハンドル部４を回転操作して、一対の軸部２、３の各々に設けられた複数個の鉤部５ｂ・・・、５ｂ・・・の各々を挿入することで、骨折部位へ骨接合具１Ｂを取り付けた後において、骨接合具１Ｂが安定して骨折部位に取り付けられるので、骨接合具１Ｂの骨折部位から脱落するのを、骨接合具１に比べて、防止することができる。
【００５６】
尚、発明の実施の形態２では、本発明に係る骨接合具１Ｂとして、複数個の鈎部５ｂ・・・、５ｂ・・・の先端を先尖形状にしたものを示しているが、複数個の鈎部５ｂ・・・、５ｂ・・・の先端は、必ずしも、先尖形状にする必要はない。
【００５７】
また、複数個の鈎部５ｂ、５ｂは、複数個の鈎部５ｂ、５ｂの先端部の間隔が、複数個の鈎部５ｂ、５ｂの根本部の間隔に比べ、短くなえるように設けられていてもよい。
【００５８】
例えば、本発明に係る骨接合具は、図７に示す骨接合具１Ｃのようなものであっても良い。
【００５９】
即ち、この骨接合具１Ｃは、鈎部５ｃ・・・、５ｃ・・・の各々の直径が、根本部から先端部まで同じ太さ（直径）又は概ね同じ太さ（直径）にされており、鈎部５ｃ・・・、５ｃ・・・の各々の取付け角度θ１が、根本部に対し、９０度よりやや小さい鋭角になるようにされている。
（発明の実施の形態３）
図８は、本発明に係る骨接合具の他の一例を模式的に示す斜視図である。
【００６０】
この骨接合具１Ｄは、図１に示す骨接合具１とは、下記の構成が異なっている以外は、図１に示す骨接合具１と同様の構成であるので、骨接合具１Ｄの構成部材中、図１に示す骨接合具１の構成部材に相当する構成部材については、骨接合具１の構成部材に付した参照符号に相当する参照符号を付して、その説明を省略する。
【００６１】
この骨接合具１Ｄは、一対の軸部２、３のいずれか一方に、貫通孔ｈｃを設けている構成が、図１に示す骨接合具１とは、異なっている。
【００６２】
尚、この例では、貫通孔ｈｃを軸部２の途中の位置に設けたものを示している。
【００６３】
次に、この骨接合具１Ｄの使用方法の一例を説明する。
【００６４】
図９は、この骨接合具１Ｄの使用方法の一例を模式的に説明する説明図（手術の手順を説明する説明図）である。
【００６５】
この骨接合具１Ｄを用いて骨折部位を治療する際には、図９（ａ）に示すように、消毒や麻酔等を施した後、骨折した箇所を切開し、骨折部位を外部に露出させる。
【００６６】
次に、図９（ｂ）に示すように、外部に露出させた骨折部位の、骨折部位を挟む、骨Ｂａと、骨Ｂｂとに、孔ｈａ、ｈｂの各々を、骨Ｂａ、Ｂｂの各々の表面に対し、９０度又は概ね９０度に形成する。
【００６７】
次に、骨接合具１Ｄのハンドル部４を一方向又は他方向に回転操作し、鈎部５と、鉤部５との間の間隔を、孔ｈａと孔ｈｂとの間隔に合わせるように調整した後、鈎部５、５の各々を孔ｈａ、ｈｂの各々に挿入（嵌入）する。
【００６８】
その後、骨接合具１Ｄのハンドル部４を、鈎部５と、鉤部５との間の間隔が狭まる方向（この例では、他方向）に回転操作し、骨折部位を締め付け、骨を骨折前の状態と同じ状態になるように当接させ、固定する（以上の工程については、図９（ｃ）を参照）。
【００６９】
次に、ワイヤ（針金）Ｗを、貫通孔ｈｃに挿通した後、外部に露出させた、骨に、ワイヤ（針金）Ｗを巻き周りして、骨接合具１Ｄと骨とを固定する。
【００７０】
その後、骨折部位を縫合し、骨折部位が骨細胞により修復・接合された後、再度、骨折部位を消毒や麻酔等を施した後、切開し、骨折部位を外部に露出させ、ワイヤ（針金）Ｗを骨から取り外し、骨接合具１Ｄを取り出し、再び、縫合する、という手術を、必要により、施したり、又は、骨折部位が骨細胞により修復・接合された後も、骨接合具１Ｄを体内に留置したりする。
【００７１】
この骨接合具１Ｄは、骨接合具１と同様の構成を備えているので、骨接合具１と同様の効果を奏する。
【００７２】
更に、この骨接合具１Ｄでは、一対の軸部２、３の一方の軸部２の途中位置に、貫通孔ｈｃを設け、この貫通孔ｈｃを利用して、ワイヤ（針金）Ｗを用い、骨折部位に骨接合具１Ｄを取り付けた後、骨接合具１Ｄと骨とを巻きつけ固定することができるようにしているので、骨接合具１Ｄが骨折部位から脱落することをより確実の防止できる。
【００７３】
また、この骨接合具１Ｄでは、一対の軸部２、３の一方の軸部２の途中位置に、貫通孔ｈｃを設けているので、この貫通孔ｈｃを利用して、ワイヤ（針金）を用い、骨接合具１Ｄと骨Ｂとを巻きつけ固定すれば、骨接合具１Ｄと骨Ｂとの固定後、骨接合具とワイヤ（針金）とが位置ずれするのを防止できる。
【００７４】
尚、この例では、一方の軸部２の途中位置に、貫通孔ｈｃを設けた例を示したが、貫通孔ｈｃは、一対の軸部２、３の他方の軸部３の途中位置に設けられていてもよく、また、一対の軸部２、３の各々に設けられていても良い。
（発明の実施の形態４）
図１０は、本発明に係る骨接合具の他の一例を模式的に示す斜視図である。
【００７５】
この骨接合具１Ｅは、図１に示す骨接合具１とは、下記の構成が異なっている以外は、図１に示す骨接合具１と同様の構成であるので、骨接合具１Ｅの構成部材中、図１に示す骨接合具１の構成部材に相当する構成部材については、骨接合具１の構成部材に付した参照符号に相当する参照符号を付して、その説明を省略する。
【００７６】
この骨接合具１Ｅは、一対の軸部２、３の双方の途中の位置に、貫通孔ｈｃ、ｈｃを設けている構成が、図１に示す骨接合具１とは、異なっている。
【００７７】
次に、この骨接合具１Ｅの使用方法の一例を説明する。
【００７８】
図１１は、この骨接合具１Ｅの使用方法の一例を模式的に説明する説明図（手術の手順を説明する説明図）である。
【００７９】
この骨接合具１Ｅを用いて骨折部位（この例では、斜骨折（亀裂骨折）の例を示している。）を治療する際には、図１１（ａ）に示すように、消毒や麻酔等を施した後、骨折した箇所を切開し、骨折部位を外部に露出させる。
【００８０】
次に、図１１（ｂ）に示すように、外部に露出させた骨折部位の、骨折部位を挟む、骨Ｂａと、骨Ｂｂとに、孔ｈａ、ｈｂの各々を、骨Ｂａ、Ｂｂの各々の表面に対し、９０度又は概ね９０度に形成する。
【００８１】
次に、骨接合具１Ｅのハンドル部４を一方向又は他方向に回転操作し、一対の軸部２、３の一方の軸部２に設けられている鈎部５と、一対の軸部２、３の他方の軸部３に設けられている鉤部５との間の間隔を、孔ｈａと孔ｈｂとの間隔に合わせるように調整した後、鈎部５、５の各々を孔ｈａ、ｈｂの各々に挿入（嵌入）する。
【００８２】
その後、ワイヤ（針金）Ｗを、貫通孔ｈｃ、ｈｃの一方に挿通した後、例えば、骨Ｂａにワイヤ（針金）Ｗを巻き周りして、骨接合具１Ｅを骨折部位に固定した後、例えば、骨Ｂａに設けた孔ｈａから骨髄内へワイヤ（針金）Ｗを挿入し、ワイヤ（針金）Ｗを用い、骨折部位の形状を正しい形状にする（以上の工程については、図１１（ｃ）を参照。）。
【００８３】
骨接合具１Ｅハンドル部４を、一対の軸部２、３の一方の軸部２に設けられている鈎部５と、一対の軸部２、３の他方の軸部３に設けられている鉤部５との間の間隔が狭まる方向（この例では、他方向）に回転操作し、骨折部位を締め付け、骨を骨折前の状態と同じ状態になるように当接させる。
【００８４】
その後、ワイヤ（針金）Ｗを、例えば、骨Ｂｂに設けた孔ｈｂから骨Ｂｂの外部に導出し、骨Ｂｂの外部に導出したワイヤ（針金）Ｗを骨Ｂａにワイヤ（針金）Ｗを巻き周りして、骨接合具１Ｅを骨Ｂｂに固定する（以上の工程については、図１１（ｄ）を参照。）。
【００８５】
その後、骨折部位を縫合し、骨折部位が骨細胞により修復・接合された後、再度、骨折部位を消毒や麻酔等を施した後、切開し、骨折部位を外部に露出させ、ワイヤ（針金）Ｗを骨から取り外し、骨接合具１Ｅを取り出し、再び、縫合する、という手術を、必要により、施したり、又は、骨折部位が骨細胞により修復・接合された後も、骨接合具１Ｅを体内に留置したりする。
【００８６】
この骨接合具１Ｅは、骨接合具１と同様の構成を備えているので、骨接合具１と同様の効果を奏する。
【００８７】
更に、この骨接合具１Ｅでは、一対の軸部２、３の双方の途中位置に、各々、貫通孔ｈｃ、ｈｃを設け、この貫通孔ｈｃ、ｈｃを利用して、ワイヤ（針金）Ｗを用い、骨折部位の形状を正常形状に治したり、又は、骨接合具１Ｅが骨折部位から脱落したりするのを防止するために、骨折部位に骨接合具１Ｅを取り付けた後、骨接合具と骨とを巻きつけ固定することができる。
【００８８】
また、この骨接合具１Ｅでは、一対の軸部２、３の双方の途中位置に、各々、貫通孔ｈｃ、ｈｃを設けているので、特に、図１１に示すような斜骨折などの骨折状況において、骨の位置をワイヤ（針金）Ｗを用い、骨折部位の形状を正常形状に治した後、貫通孔ｈｃ、ｈｃを利用して、骨と骨接合具１Ｅとを巻き周りすることで、骨、骨接合具１Ｅ及びワイヤ（針金）Ｗの相対的な位置ずれが生じ難い。
【００８９】
尚、発明の実施の形態３及び発明の実施の形態４では、一対の軸部２、３の各々の先端部に鈎部５が、１つずつ設けられた例を示したが、一対の軸部２、３の各々の先端部に、骨接合具１Ｂと同様、複数の鈎部５ａ・・・を設けるようにしてもよい。
【００９０】
また、発明の実施の形態１〜４では、本発明に係る骨接合具として、種々の骨接合具について説明したが、これらは、単独で用いても良く、骨折部位の状況に応じて組み合わせて使用してもよく、更には、図１２に示すように、髄内釘ｎ、ボルトｖ及びピンｐ等と組み合わせて使用するようにしてもよい。
【産業上の利用可能性】
【００９１】
骨折部位を簡単な術式で固定できる、骨接合具を市場に提供することができる。
【図面の簡単な説明】
【００９２】
【図１】図１（ａ）は、本発明に係る骨接合具の一例を模式的に示す斜視図であり、図１（ｂ）は、図１（ａ）中、Ａで囲んだ部分を拡大し、その構造を概略的に説明する説明図である。
【図２】図１に示す骨接合具の使用方法の一例を模式的に説明する説明図（手術の手順を説明する説明図）である。
【図３】図１に示す骨接合具の一対の軸部各々の先端部に設けられている鈎部の各々の角度を、一対の軸部の各々に対し、９０度未満にした場合に奏される効果を模式的に説明する説明図である。
【図４】本発明に係る骨接合具の他の一例を模式的に示す斜視図である。
【図５】本発明に係る骨接合具の他の一例を模式的に示す斜視図である。
【図６】図５に示す骨接合具の使用方法の一例を模式的に説明する説明図（手術の手順を説明する説明図）である。
【図７】本発明に係る骨接合具の他の一例を模式的に示す図であり、図７（ａ）は、本発明に係る骨接合具の他の一例を模式的に示す斜視図であり、また、図７（ｂ）は、図７（ａ）に示す骨接合具を、図７（ａ）中に示す矢印方向に見た状態を、模式的に示す側面図である。
【図８】本発明に係る骨接合具の他の一例を模式的に示す斜視図である。
【図９】図８に示す骨接合具の使用方法の一例を模式的に説明する説明図（手術の手順を説明する説明図）である。
【図１０】本発明に係る骨接合具の他の一例を模式的に示す斜視図である。
【図１１】図１０に示す骨接合具の使用方法の一例を模式的に説明する説明図（手術の手順を説明する説明図）である。
【図１２】従来の骨折手術に用いられる内部固定具を模式的に示す説明図である。
【符号の説明】
【００９３】
１、１Ａ、１Ｂ、１Ｃ、１Ｄ、１Ｅ  骨接合具
２、３  軸部
４  ハンドル部
５、５ａ、５ｂ、５ｃ  鈎部
ｈｃ  貫通孔
Ｗ  ワイヤ（針金）  
【図１】
2006075293.tif 000003
【図２】
2006075293.tif 000004
【図３】
2006075293.tif 000005
【図４】
2006075293.tif 000006
【図５】
2006075293.tif 000007
【図６】
2006075293.tif 000008
【図７】
2006075293.tif 000009
【図８】
2006075293.tif 000010
【図９】
2006075293.tif 000011
【図１０】
2006075293.tif 000012
【図１１】
2006075293.tif 000013
【図１２】
2006075293.tif 000014